(57)【要約】【課題】  超音波スピーカの可聴音再生距離を短くし、短焦点投射レンズを使用したプロジェクタでも、スクリーン面に仮想音源を生成でき臨場感ある音声を視聴できる、プロジェクタを提供する。【解決手段】  吸気ファンと吸気ダクトを使用して吸気を行い、内部の発熱源の空冷を行うと共に、超音波スピーカを使用して音波を出力するプロジェクタにおいて、前記超音波スピーカを、前記吸気ダクト内に配置すると共に、前記吸気ファンの風上側に配置し、前記超音波スピーカを配置した吸気ダクトの吸気用の開口部をプロジェクタの映像投影方向に設け、前記超音波スピーカから出力される音波を前記開口部から放射することを特徴とするプロジェクタ。【選択図】  図１
2006005552.tif 000002
【特許請求の範囲】
【請求項１】
吸気ファンと吸気ダクトを使用して吸気を行い、内部の発熱源の空冷を行うと共に、超音波スピーカを使用して音波を出力するプロジェクタにおいて、
前記超音波スピーカを、前記吸気ダクト内に配置すると共に、前記吸気ファンの風上側に配置し、
前記超音波スピーカを配置した吸気ダクトの吸気用の開口部をプロジェクタの映像投影方向に設け、前記超音波スピーカから出力される音波を前記開口部から放射することを特徴とするプロジェクタ。
【請求項２】
プロジェクタの左右に吸気ダクトを配置し、該左右に配置された吸気ダクトのそれぞれに対応して、前記超音波スピーカを配置し、
前記左右の吸気ダクトのそれぞれの吸気用の開口部をプロジェクタの映像投影方向に設け、前記超音波スピーカから出力される音波を前記開口部から放射することを特徴とする請求項１に記載のプロジェクタ。
【請求項３】
１つの吸気ファンにより吸気され、複数の方向に吸気用の開口部を有する吸気ダクトを備え、前記複数の吸気ダクトの少なくとも１つ以上に超音波スピーカが配置されていることを特徴とする請求項１に記載のプロジェクタ。
【請求項４】
前記超音波スピーカは、静電型の超音波トランスデューサで構成されることを特徴とする請求項１から３のいずれかに記載のプロジェクタ。
【請求項５】
前記超音波スピーカは、共振型の超音波トランスデューサで構成されることを特徴とする請求項１から３のいずれかに記載のプロジェクタ。
【請求項６】
超音波周波数帯のキャリア波信号を生成するキャリア波信号源と、
可聴周波数帯の信号を生成する可聴周波数帯信号発振源と、
前記キャリア波信号源から出力される超音波周波数帯のキャリア波信号の周波数を可変に設定するキャリア波周波数設定部と、
前記キャリア波信号源から出力されるキャリア波信号を前記可聴周波数帯の信号により変調する変調部と、
前記キャリア波信号を前記可聴周波数帯の信号で変調した変調信号により駆動され、該変調信号を音波に変換して出力する超音波スピーカと
を備えることを特徴とする請求項１から５のいずれかに記載のプロジェクタ。
【発明の詳細な説明】
【技術分野】
【０００１】
本発明は、超音波スピーカを内蔵したプロジェクタに関し、特に、吸気ファンと吸気ダクトを使用して吸気を行い、内部の発熱源の空冷を行うプロジェクタであって、前記吸気ダクトを利用して超音波スピーカの可聴音再生距離を短くすることができるプロジェクタに関する。
【背景技術】
【０００２】
従来から、超音波に対する媒質（空気）の非線形性を利用した超音波スピーカが、通常のスピーカに比べてはるかに鋭い指向性を持つ可聴周波数帯の信号を再生し得ることが知られている。
【０００３】
構成としては、可聴周波数帯の信号源からの信号によって超音波周波数帯のキャリア信号を変調し、パワーアンプ等で増幅した後に超音波トランスデューサから有限振幅レベルの音波に変換して媒質中（空気中）に放射し、媒質（空気）の非線形パラメトリック効果によって元の可聴周波数帯の信号音を再生するようになっている。この場合、可聴周波数帯の再生信号の再生範囲は、超音波トランスデューサから放出軸方向へのビーム状の範囲となる（例えば、特許文献１参照）。
【０００４】
このような、超音波スピーカの特性を生かした技術開発が盛んに行われており、超音波スピーカに関連した発明が多く開示されている。そのうちの、本発明に関連する先行技術のいくつかの発明について示しておく。
【０００５】
例えば、パラメトリックスピーカ（超音波スピーカ）からの１次音波（超音波周波数帯の音波）を案内する導音管を設けて指向性を高め、導音管内の流体速度を調節する制御手段を設けて、２次音波（可聴音）への変換効率を高め、２次音波の音圧を制御しさらに音源の温度上昇を防止する発明が開示されている（例えば、特許文献２参照）。
【０００６】
また、超音波スピーカ装置を投写型のビデオプロジェクタに適用した発明が開示されている。このビデオプロジェクタは、プロジェクタ本体内に、複数の圧電素子を組み合わせた複数組の超音波発生器（超音波スピーカ装置）を配置したものである。このとき、プロジェクタ本体内に配置された各超音波発生器は、ビデオプロジェクタの投射面となるスクリーン面やその他の壁面に向けられている。各超音波発生器 からスクリーン面や壁面に向けて超音波を放出すると、これら超音波発生器から放出された超音波が反射する箇所に可聴音の音像を定位させることができる。そこで、各超音波発生器からマルチチャンネル音源の右チャンネル用、左チャンネル用、中央チャンネル用、サラウンド用の右チャンネル用、サラウンド用の左チャンネル用の各オーディオ信号に応じた超音波を放出するようにすることにより、視聴者にマルチチャンネル音源の再生音響を提供できる（例えば、特許文献３参照）。
【０００７】
また、視聴者の後ろに配置したプロジェクタからスクリーンに映写し、プロジェクタの上部に配置したパラメトリックスピーカ装置から可聴音ビームをスクリーンに放射させ、スクリーンからの反射波を鑑賞者に受聴させる発明が開示されている（例えば、特許文献４参照）。
【０００８】
このように、超音波スピーカは、非常に狭い指向性を有しているが、２次音波（可聴音）の生成には超音波振動子（超音波スピーカ）からある程度の再生距離が必要である。このため、スクリーンに映像を投影し、１次音波（超音波周波数帯の音波）をスクリーンに放出してスクリーン面に２次音波を生成する場合に問題が生じることがある。すなわち、プロジェクタとスクリーンの距離が短いときは、１次音波（超音波周波数帯の音波）がスクリーンで反射した後に、スクリーンと視聴者の間で２次音が生成して仮想音源がスクリーン面から離れてしまい、臨場感が減ぜられてしまうことがある。
【０００９】
近年はプロジェクタがホームユースとして狭い部屋で使われるようになり、映像の投射距離も短焦点投射レンズの採用でますます短くなり、超音波スピーカの２次音生成距離も投射距離に合わせて短くすることが求められており、上記仮想音源がスクリーン面から離れてしまうという問題の解決が望まれていた。
【００１０】
また、可聴音スピーカを内蔵したプロジェクタでＤＶＤの映画を拡大投影して鑑賞しようとする場合、映画館のようにスクリーンから音声が聞こえるのではなく、音声はプロジェクタから聞こえるので、臨場感に乏しい。従って、臨場感あるサラウンド音を聞くためには、別に５．１ｃｈ用のスピーカシステムを用意する必要があり、コストアップとなっている。さらに、複数の配線も必要となり、スペースに無駄が生じる。このため、映像の投射距離を短くすると共に、スクリーン面上に２次音波を生成することが望まれていた。
【特許文献１】特開昭５８−１１９２９３号公報
【特許文献２】特開平３−２６５３９９号公報
【特許文献３】特開平１１−２６２０８４号公報
【特許文献４】特開昭６０−２５４９９２号公報
【発明の開示】
【発明が解決しようとする課題】
【００１１】
本発明はこのような問題を解決するためになされたもので、その目的は、超音波スピーカの可聴音再生距離を短くすることを可能にし、短焦点投射レンズを使用したプロジェクタでも、スクリーン面に仮想音源を生成でき臨場感ある音声を視聴できることを可能にする、プロジェクタを提供することにある。
【課題を解決するための手段】
【００１２】
本発明は上記課題を解決するためになされたものであり、本発明のプロジェクタは、吸気ファンと吸気ダクトを使用して吸気を行い、内部の発熱源の空冷を行うと共に、超音波スピーカを使用して音波を出力するプロジェクタにおいて、前記超音波スピーカを、前記吸気ダクト内に配置すると共に、前記吸気ファンの風上側に配置し、前記超音波スピーカを配置した吸気ダクトの吸気用の開口部をプロジェクタの映像投影方向に設け、前記超音波スピーカから出力される音波を前記開口部から放射することを特徴とする。
このような構成により、超音波スピーカを使用したプロジェクタにおいて、ランプ・電源等を冷却するための吸気ダクト（冷却用ダクト）内に超音波スピーカを配置し、吸気ダクトの開口部（吸気孔）を映像投影方向に設け（プロジェクタの前面に吸気孔を配置し）、吸気ダクトの吸気孔から超音波スピーカの音響を出力する。このように、超音波スピーカから出力される１次音波（超音波周波数帯の音波）を、空気の流れと逆向きに出力する。
これにより、１次音波（超音波周波数帯の音波）の波長が圧縮され、波数が大きくなり、見かけ上、２次音波（可聴音）の再生距離を短くできる。また、超音波スピーカの可聴音再生距離を短くできるので、短焦点投射レンズを使用したプロジェクタでも、スクリーン面に仮想音源を生成でき、臨場感ある音声を視聴できる。例えば、家庭でＤＶＤにより大画面での映画を鑑賞する時に効果を発揮する。
【００１３】
また、本発明のプロジェクタは、プロジェクタの左右に吸気ダクトを配置し、該左右に配置された吸気ダクトのそれぞれに対応して、前記超音波スピーカを配置し、前記左右の吸気ダクトのそれぞれの吸気用の開口部をプロジェクタの映像投影方向に設け、前記超音波スピーカから出力される音波を前記開口部から放射することを特徴とする。
このような構成により、ステレオ再生機能を有するプロジェクタにおいて、プロジェクタの左右に２つの吸気ダクトを配置し、各吸気ダクト内に超音波スピーカを配置する。また、超音波スピーカを配置した吸気ダクトの開口部（吸気孔）を映像投影方向に設け（吸気孔をプロジェクタの前面に配置し）、吸気孔から超音波スピーカの音波を放射する。
これにより、ステレオ再生機能を有するプロジェクタにおいても、１次音波（超音波周波数帯の音波）の再生復調距離を短縮して２次音波（可聴音）を再生できる。また、超音波スピーカの可聴音再生距離を短くできるので、短焦点投射レンズを使用したプロジェクタでも、スクリーン面にステレオの仮想音源を生成でき、臨場感ある音声を視聴できる。例えば、家庭でＤＶＤにより大画面での映画を鑑賞する時に効果を発揮する。
【００１４】
また、本発明のプロジェクタは、１つの吸気ファンにより吸気され、複数の方向に吸気用の開口部を有する吸気ダクトを備え、前記複数の吸気ダクトの少なくとも１つ以上に超音波スピーカが配置されていることを特徴とする。
このような構成により、１つの吸気ファンにより、複数の吸気ダクトから吸気を行う場合に、少なくとも１つ以上の吸気ダクトに超音波スピーカを配置し、該超音波スピーカからの音波を吸気ダクトの開口部（吸気孔）から放射する。
これにより、１つの吸気ファンにより、複数の吸気ダクトから吸気を行う場合にも、吸気ダクトに超音波スピーカを配置し、１次音波（超音波周波数帯の音波）の再生復調距離を短縮して２次音波（可聴音）を再生できる。例えば、プロジェクタとスクリーン間の距離が短い場合でも、スクリーン面で２次音波（可聴音）を再生できるようになる。
【００１５】
また、本発明のプロジェクタは、前記超音波スピーカは、静電型の超音波トランスデューサで構成されることを特徴とする。
このような構成により、プロジェクタに静電型の超音波トランスデューサ（超音波スピーカ）を使用する場合にも、１次音波（超音波周波数帯の音波）の再生復調距離を短縮して２次音波（可聴音）を再生できる。例えば、プロジェクタとスクリーン間の距離が短い場合でも、スクリーン面で２次音波（可聴音）を再生できるようになる。
【００１６】
また、本発明のプロジェクタは、前記超音波スピーカは、共振型の超音波トランスデューサで構成されることを特徴とする。
このような構成により、プロジェクタに共振（圧電）型の超音波トランスデューサ（超音波スピーカ）を使用する場合にも、１次音波（超音波周波数帯の音波）の再生復調距離を短縮して２次音波（可聴音）を再生できる。例えば、プロジェクタとスクリーン間の距離が短い場合でも、スクリーン面で２次音波（可聴音）を再生できるようになる。
【００１７】
また、本発明のプロジェクタは、超音波周波数帯のキャリア波信号を生成するキャリア波信号源と、可聴周波数帯の信号を生成する可聴周波数帯信号発振源と、前記キャリア波信号源から出力される超音波周波数帯のキャリア波信号の周波数を可変に設定するキャリア波周波数設定部と、前記キャリア波信号源から出力されるキャリア波信号を前記可聴周波数帯の信号により変調する変調部と、前記キャリア波信号を前記可聴周波数帯の信号で変調した変調信号により駆動され、該変調信号を音波に変換して出力する超音波スピーカとを備えることを特徴とする。
このような構成により、キャリア波信号源により超音波周波数帯のキャリア波信号（例えば、４０ｋＨｚのサイン波（Ｓｉｎ波））を生成する。また、可聴周波数帯信号発振源により可聴周波数帯の信号（例えば、音声信号）を生成する。そして、変調部により、キャリア波信号源から出力されるキャリア波信号を可聴周波数帯信号により変調し、この変調信号により超音波スピーカ（超音波トランスデューサ）を駆動し、変調信号を音波に変換して出力する。また、キャリア波周波数設定部によりキャリア波信号源から出力されるキャリア波信号の周波数を可変に設定にする。
これにより、１次音波（超音波周波数帯の音波）の再生復調距離を短縮して２次音波（可聴音）を再生できる効果に加えて、２次音波（可聴音）が再生される位置を可変に調整することができる。例えば、スクリーン面で２次音波（可聴音）が再生されるように調整することができる。
【発明を実施するための最良の形態】
【００１８】
次に本発明を実施するための最良の形態について図面を参照して説明する。
【００１９】
最初に、本発明のプロジェクタに使用することができる超音波スピーカについて説明しておく。本発明のプロジェクタで使用する超音波スピーカについては、超音波スピーカの種類を限定されず、非線形パラメトリック効果を利用する超音波スピーカであれば何でも使用できる。例えば、図７に例示する超音波スピーカを使用できる。
【００２０】
図７は、本発明のプロジェクタに使用する超音波スピーカ（超音波トランスデューサ）の例を示す図であり、図７（ａ）は、共振（圧電）型の超音波トランスデューサを、図７（ｂ）は静電型の超音波トランスデューサの構成例を示している。
【００２１】
図７（ａ）に示す超音波トランスデューサは、バイモルフ型の超音波トランスデューサであり、２枚の圧電セラミック６１および６２と、コーン６３と、ケース６４と、リード６５および６６と、スクリーン６７とから構成されている。圧電セラミック６１および６２は、互いに貼り合わされていて、その貼り合わせ面と反対側の面にそれぞれリード６５とリード６６が接続されている。共振型の超音波トランスデューサは、圧電セラミックの共振現象を利用しているので、超音波の送信および受信の特性がその共振周波数周辺の比較的狭い周波数帯域で良好となる。
【００２２】
また、図７（ｂ）に示す超音波トランスデューサは、静電型の超音波トランスデューサであり、広帯域型の周波数特性を有している。図７（ｂ）に示すように、静電方式の超音波トランスデューサは、振動体として数μｍ（３〜１０μｍ程度）の厚さのＰＥＴ（ポリエチレンテレフタレート樹脂）等の誘電体８１（絶縁体）を用いている。誘電体８１に対しては、金属箔として形成される上電極８２がその上面部に蒸着等の処理によって一体形成されるとともに、真鍮の下電極（固定電極）８３が下面部に接触するように設けられている。この誘電体８１が振動膜を形成する。下電極８３は、リード８４が接続されるとともに、ベークライト等からなるベース板８５に固定されている。誘電体８１および上電極８２ならびにベース板８５は、メタルリング８６、８７、および８８、ならびにメッシュ８９とともに、ケース８０によってかしめられている。
【００２３】
また下電極８３の誘電体８１側の面には不均一な形状を有する数十〜数百μｍ程度の微小な溝が複数形成されている。この微小な溝は、下電極８３と誘電体８１との間の空隙となるので、上電極８２および下電極８３間の静電容量の分布が微小に変化する。このランダムな微小な溝は、例えば、下電極８３の表面を手作業でヤスリで荒らすことで形成できる。静電方式の超音波トランスデューサでは、このようにして空隙の大きさや深さの異なる無数のコンデンサを形成することによって、超音波トランスデューサの周波数特性が広帯域となっている。
【００２４】
本発明のプロジェクタにおいては、上述した共振（圧電）型超音波トランスデューサ、静電型の超音波トランスデューサなどのいずれの種類の超音波スピーカでも使用できる。
【００２５】
図１は、本発明によるプロジェクタの構成例を示す図であり、超音波スピーカを２個有し、ステレオで音響を再生出力する液晶プロジェクタの例を示している。
【００２６】
図１において、プロジェクタ１０内には、発熱源となる超高圧水銀ランプ２１と、電源部２２が内蔵されている。超高圧水銀ランプ２１の超高圧ランプの発光部は１０００度程度の高温になり、冷却は必須である。また電源部２２も内部のパワートランジスタなどが高温（１００度ぐらい）になる場合があり、信頼性確保及び安全性から冷却が必要となる。
【００２７】
また、プロジェクタ１０内には、左右２つの吸気ダクト３０、３０ａが設けられており、右側の吸気ダクト３０と吸気ファン３１により、吸気孔（開口部）３２から外部の空気を吸気し、電源部２２に冷却風を当てて空冷する。そして、電源部２２の冷却に使用され暖められた空気は排気孔３３から排気される。
【００２８】
また、左側の吸気ダクト３０ａと吸気ファン３１ａにより、吸気孔（開口部）３２ａから外部の空気を吸気し、超高圧水銀ランプ２１に冷却風を当てて空冷する。そして、超高圧水銀ランプ２１の冷却に使用され暖められた空気は排気孔３３ａから排気される。
【００２９】
なお、液晶プロジェクタの場合には、映像投影用に使用される液晶パネル（図示せず）の冷却にも冷却ファンが使用されるが、液晶パネル用の冷却ファンは通常は本体下部又は天面が吸気孔になっている。
【００３０】
また、図２は、図１に示すプロジェクタの正面図であり、プロジェクタ１０の前面に、右側の吸気孔３２と、左側の吸気孔３２ａが設けられた状態を示している。
【００３１】
図１に戻り、右側の吸気ダクト３０内には超音波スピーカ１５が配置され、この超音波スピーカ１５は吸気ファン３１の風上側に配置される。超音波スピーカ１５からは、ステレオのＲ（右側）の音響信号（超音波周波数帯の１次音波）が出力され、超音波スピーカ１５から出力された音響信号（超音波周波数帯の１次音波）は、吸気ダクト３０内の空気の流れと逆方向に進み、吸気孔３２から外部に放射される。
【００３２】
同様にして、左側の吸気ダクト３０ａ内には超音波スピーカ１５ａが配置され、この超音波スピーカ１５ａは吸気ファン３１ａの風上側に配置される。超音波スピーカ１５ａからは、ステレオのＬ（左側）の音響信号（超音波周波数帯の１次音波）が出力され、超音波スピーカ１５ａから出力された音響信号（超音波周波数帯の１次音波）は、吸気ダクト３０ａ内の空気の流れと逆方向に進み、吸気孔３２ａから外部に放射される。
【００３３】
このように、超音波スピーカ１５、１５ａから出力される音響信号（超音波周波数帯の１次音波）を、空気の流れと逆向きに出力することにより、１次音波の波長が圧縮され、波数が大きくなり、見かけ上、２次音波（可聴音）の再生距離を短くできる。従って、図３のプロジェクタとスクリーンに配置例に示すように、スクリーン１とプロジェクタ１０間の距離Ｄを短くすることができ、プロジェクタをホームユースとして狭い部屋で使うことが可能になる。
【００３４】
なお、超音波スピーカ１５と吸気孔３２までの距離は、２次音波（可聴音）の再生距離を考慮して、必要な長さに設定される。
【００３５】
また、図４は、本発明によるプロジェクタの他の構成例を示す図であり、１つの吸気ファン３１を使用して、左右の吸気ダクト３０、３０ａへの吸気を行う例である。この例では、吸気ファン３１により超高圧水銀ランプ２１の空冷を行う他は、図１の場合と同様の構成である。
【００３６】
また、図５は、プロジェクタの回路構成例を示すブロック図であり、本発明に直接関係する超音波スピーカにより音響信号を出力する部分について示したものである。
【００３７】
図５において、キャリア波信号源１１は、超音波周波数帯のキャリア波信号（例えば、４０ｋＨｚのサイン（Sin）波など）を生成する。可聴周波数帯信号発振源１２は、可聴周波数帯信号（例えば、音声信号など）を生成する。なお、可聴周波数帯信号発振源１２からは、Ｒ（右）側の可聴周波数帯信号と、Ｌ（左）側の可聴周波数帯信号が生成される。
【００３８】
変調部１３は、キャリア波信号源１１から出力されるキャリア波信号を、可聴周波数帯信号発振源１２から受け取った可聴周波数帯信号（Ｒ側）で変調し、変調信号を生成する。パワーアンプ１４は、変調部１３から受け取った変調信号を増幅する。
【００３９】
Ｒ側の超音波スピーカ（超音波トランスデューサ）１５は、パワーアンプ１４により増幅された変調信号を有限振幅レベルの音波（超音波）に変換して媒質中（空気中）に放射する。
【００４０】
同様にして、変調部１３ａは、キャリア波信号源１１から出力されるキャリア波信号を、可聴周波数帯信号発振源１２から受け取った可聴周波数帯信号（Ｌ側）で変調し、変調信号を生成する。パワーアンプ１４ａは、変調部１３ａから受け取った変調信号を増幅する。
【００４１】
Ｌ側の超音波スピーカ（超音波トランスデューサ）１５ａは、パワーアンプ１４ａにより増幅された変調信号を有限振幅レベルの音波（超音波）に変換して媒質中（空気中）に放射する。
【００４２】
また、キャリア波周波数設定部１１ａは、キャリア波信号源１１から出力されるキャリア波の周波数を可変に設定するものであり、プロジェクタ１０とスクリーン１間の距離に応じてキャリア波信号の周波数を変化させ、スクリーン１の面上で２次音（可聴音）が再生されるように調整するためのものである。
【００４３】
図６は、超音波スピーカから放射されるビームの状態を示す図であり、図６に示すように、キャリア波の周波数の高低により超音波スピーカ１５より放射される超音波のビーム幅（指向角θ）と、音が再生される距離（超音波スピーカ１５からの距離）が変化する。例えば、８０ｋＨｚのビームと４０ｋＨｚのビームとでは、Ｚ軸方向への広がり及び音の再生距離が異なり、キャリア周波数を制御することにより、２次音（可聴音）が復調される範囲を調整することができる。例えば、プロジェクタ１０とスクリーン１までの距離が短い時は、比較的高周波数のキャリア波を使用し、遠い時は比較的低い周波数のキャリア波を使用するなど、スクリーン１の面上で２次音（可聴音）が復調されるように設定することができる。
【００４４】
なお、以上説明した本発明の実施の形態例では、２つの吸気ダクト内に２つの超音波スピーカを配置したステレオ再生機能を有するプロジェクタの例を示したが、本発明によるプロジェクタは、超音波スピーカを１つ使用するモノラル再生のプロジェクタであってもよい。また、超音波スピーカを３つ以上使用して音響信号の再生を行うプロジェクタであってもよい。
【００４５】
また、本発明のプロジェクタは、液晶プロジェクタに限らず、ＤＬＰ(登録商標)プロジェクタ、ＬＣＯＳ（Liquid Crystal on Silicon）型プロジェクタなどのスクリーン投影型の電子機器にも応用できる。
【００４６】
以上、本発明の実施の形態について説明したが、本発明のプロジェクタは、上述の図示例にのみ限定されるものではなく、本発明の要旨を逸脱しない範囲内において種々変更を加え得ることは勿論である。
【図面の簡単な説明】
【００４７】
【図１】本発明によるプロジェクタの構成例を示す図。
【図２】図１に示すプロジェクタの正面図。
【図３】プロジェクタとスクリーンの配置例を示す図。
【図４】本発明によるプロジェクタの他の構成例を示す図。
【図５】プロジェクタの回路構成例を示すブロック図。
【図６】超音波スピーカから放射されるビームの状態を示す図。
【図７】本発明のプロジェクタに使用する超音波スピーカの例を示す図。
【符号の説明】
【００４８】
１…スクリーン、１０…プロジェクタ、１１…キャリア波信号源
１１ａ…キャリア波周波数設定部、１２…可聴周波数帯信号発振源
１３、１３…変調部、１４、１４ａ…パワーアンプ
１５、１５ａ…超音波スピーカ、３０、３０ａ…吸気ダクト
３１、３１ａ…吸気ファン、３２、３２ａ…吸気孔、３３、３３ａ…排気孔
【図１】
2006005552.tif 000003
【図２】
2006005552.tif 000004
【図３】
2006005552.tif 000005
【図４】
2006005552.tif 000006
【図５】
2006005552.tif 000007
【図６】
2006005552.tif 000008
【図７】
2006005552.tif 000009